(57)【要約】【課題】フレームレート変換の処理効率の低下を防止する。【解決手段】プロジェクター１００の備える画像処理装置１５７は、フレームメモリー１５３から１フレームの入力画像データを読み出して１フレームの第１出力画像データを出力する第１読出処理と、フレームメモリー１５３から第１読出処理よりも少ないデータ量の入力画像データを読み出して１フレームの第２出力画像データを出力する第２読出処理と、を含む処理を実行して、第１出力画像データと第２出力画像データとを含むｎフレームの出力画像データを出力するフレームレート変換部１５５Ａを備える。【選択図】図２
2017102313.tif 000002
【特許請求の範囲】
【請求項１】
入力されるフレームの入力画像データをメモリーに書き込み、前記メモリーに書き込まれた１フレームの入力画像データを読み出してｎフレームの出力画像データを出力するフレームレート変換部を備え、
前記フレームレート変換部は、前記メモリーから１フレームの入力画像データを読み出して１フレームの第１出力画像データを出力する第１処理と、前記メモリーから前記第１処理よりも少ないデータ量の入力画像データを読み出して１フレームの第２出力画像データを出力する第２処理と、を含む処理を実行して、前記第１出力画像データと前記第２出力画像データとを含む前記ｎフレームの出力画像データを出力すること、
を特徴とする画像処理装置。
【請求項２】
前記メモリーは、複数の画素データで構成されるフレームの入力画像データを記憶し、
前記フレームレート変換部は、前記第２処理において、前記メモリーから読み出す画素データのデータ量を、前記第１処理に比べて少ないデータ量にすること、
を特徴とする請求項１記載の画像処理装置。
【請求項３】
前記フレームレート変換部は、前記第２処理において、前記メモリーが記憶する画素データの下位側の所定ビット数のデータを除いて入力画像データを読み出し、第２出力画像データとして出力すること、
を特徴とする請求項２記載の画像処理装置。
【請求項４】
前記フレームレート変換部は、前記第１処理において、前記メモリーが記憶する画素データの全体を読み出すこと、
を特徴とする請求項３記載の画像処理装置。
【請求項５】
前記フレームレート変換部は、前記第２処理により前記メモリーから読み出した画素データに対し、下位側の所定ビット数のデータに相当するデータを付加すること、
を特徴とする請求項３または４記載の画像処理装置。
【請求項６】
前記フレームレート変換部は、前記第１処理において、下位側の所定ビット数のデータが圧縮された状態で前記メモリーに記憶された画素データを前記メモリーから読み出すこと、
を特徴とする請求項２記載の画像処理装置。
【請求項７】
前記フレームレート変換部は、前記第２処理において、圧縮された状態の下位側の所定ビット数のデータを除く、非圧縮の状態の上位側のデータを画素データとして前記メモリーから読み出すこと、
を特徴とする請求項６記載の画像処理装置。
【請求項８】
画像データを記憶するメモリーと、
入力されるフレームの入力画像データを前記メモリーに書き込み、前記メモリーに書き込まれた１フレームの入力画像データを読み出してｎフレームの出力画像データを出力するフレームレート変換部と、
前記フレームレート変換部が出力する出力画像データに基づき画像を表示する表示部と、を備え、
前記フレームレート変換部は、前記メモリーから１フレームの入力画像データを読み出して１フレームの第１出力画像データを出力する第１処理と、前記メモリーから前記第１処理よりも少ないデータ量の入力画像データを読み出して１フレームの第２出力画像データを出力する第２処理と、を含む処理を実行して、前記第１出力画像データと前記第２出力画像データとを含む前記ｎフレームの出力画像データを出力すること、
を特徴とする表示装置。
【請求項９】
入力されるフレームの入力画像データをメモリーに書き込み、
前記メモリーから１フレームの入力画像データを読み出して１フレームの第１出力画像データを出力する第１処理と、前記メモリーから前記第１処理よりも少ないデータ量の入力画像データを読み出して１フレームの第２出力画像データを出力する第２処理と、を含む処理を実行して、前記メモリーに書き込まれた１フレームの入力画像データに基づき、前記第１出力画像データと前記第２出力画像データとを含むｎフレームの出力画像データを出力すること、
を特徴とする画像処理装置の制御方法。
【発明の詳細な説明】
【技術分野】
【０００１】
本発明は、画像処理装置、表示装置、及び、画像処理装置の制御方法に関する。
【背景技術】
【０００２】
従来、入力された画像データの周波数を、表示部で表示される表示周波数に変換するフレームレート変換装置を備えた画像処理装置が知られている（例えば、特許文献１参照）。特許文献１は、入力される動画信号の各フレームを４倍のレートで変換して４回ずつ出力すると共に、動画信号の各フレームと同期して入来する入力同期信号を前記と同様に変換して出力する周波数変換回路と、出力された各変換フレームの動画信号に対応した画像を表示する液晶表示素子とを有する液晶表示装置を開示する。
【先行技術文献】
【特許文献】
【０００３】
【特許文献１】特開２００４−３１７９２８号公報
【発明の概要】
【発明が解決しようとする課題】
【０００４】
しかしながら、フレームレート変換によってフレームレートを高める場合、メモリーから読み出されるデータ量が増加し、メモリーの帯域が圧迫される場合がある。このため、メモリーからのデータ読み出しに遅延が生じ、その後の処理が不安定になる恐れがある。
本発明は、上述した事情に鑑みてなされたものであり、フレームレート変換の処理効率の低下を防止した画像処理装置、表示装置、及び、画像処理装置の制御方法を提供することを目的とする。
【課題を解決するための手段】
【０００５】
かかる目的を達成するために本発明の画像処理装置は、入力されるフレームの入力画像データをメモリーに書き込み、前記メモリーに書き込まれた１フレームの入力画像データを読み出してｎフレームの出力画像データを出力するフレームレート変換部を備え、前記フレームレート変換部は、前記メモリーから１フレームの入力画像データを読み出して１フレームの第１出力画像データを出力する第１処理と、前記メモリーから前記第１処理よりも少ないデータ量の入力画像データを読み出して１フレームの第２出力画像データを出力する第２処理と、を含む処理を実行して、前記第１出力画像データと前記第２出力画像データとを含む前記ｎフレームの出力画像データを出力することを特徴とする。
本発明によれば、メモリーに書き込まれた１フレームの入力画像データを読み出してｎフレームの出力画像データを出力する場合に、出力画像データを、第１処理により読み出された第１出力画像データと、第２処理により読み出された第２出力画像データとを含むｎフレームの出力画像データとすることができる。このため、メモリーから読み出される入力画像データのデータ量を削減し、メモリーからの入力画像データの読み出しにおいて、メモリーの帯域が圧迫されるのを防止することができる。従って、フレームレート変換の処理効率の低下を防止することができる。
【０００６】
また、本発明は、上記画像処理装置において、前記メモリーは、複数の画素データで構成されるフレームの入力画像データを記憶し、前記フレームレート変換部は、前記第２処理において、前記メモリーから読み出す画素データのデータ量を、前記第１処理に比べて少ないデータ量にすることを特徴とする。
本発明によれば、第２処理において、メモリーから読み出される画素データのデータ量が削減される。このため、画像データを構成する画素の画素データ単位にデータ量を削減することができる。
【０００７】
また、本発明は、上記画像処理装置において、前記フレームレート変換部は、前記第２処理において、前記メモリーが記憶する画素データの下位側の所定ビット数のデータを除いて入力画像データを読み出し、第２出力画像データとして出力することを特徴とする。
本発明によれば、第２処理において、画素データの下位側のデータが除かれる。このため、画素データの劣化を最小限とし、画質の低下を抑制することができる。
【０００８】
また、本発明は、上記画像処理装置において、前記フレームレート変換部は、前記第１処理において、前記メモリーが記憶する画素データの全体を読み出すことを特徴とする。
本発明によれば、第１処理により出力される第１出力画像データの劣化を防止することができる。
【０００９】
また、本発明は、上記画像処理装置において、前記フレームレート変換部は、前記第２処理により前記メモリーから読み出した画素データに対し、下位側の所定ビット数のデータに相当するデータを付加することを特徴とする。
本発明によれば、第２処理により読み出された画素データに対し、下位側の所定ビット数のデータに相当するデータが付加される。このため、第２処理により読み出される画素データのデータ量を、第１処理により読み出される画素データのデータ量に一致させることができる。
【００１０】
また、本発明は、上記画像処理装置において、前記フレームレート変換部は、前記第１処理において、下位側の所定ビット数のデータが圧縮された状態で前記メモリーに記憶された画素データを前記メモリーから読み出すことを特徴とする。
本発明によれば、第１処理において、下位側の所定ビット数のデータが圧縮された状態の画素データがメモリーから読み出される。このため、メモリーから読み出される画素データのデータ量を削減することができる。
【００１１】
また、本発明は、上記画像処理装置において、前記フレームレート変換部は、前記第２処理において、圧縮された状態の下位側の所定ビット数のデータを除く、非圧縮の状態の上位側のデータを画素データとして前記メモリーから読み出すことを特徴とする。
本発明によれば、第２処理において、下位側の所定ビット数のデータを除く上位側のデータが画素データとしてメモリーから読み出される。このため、メモリーから読み出されるデータ量を削減することができる。
【００１２】
本発明の表示装置は、画像データを記憶するメモリーと、入力されるフレームの入力画像データを前記メモリーに書き込み、前記メモリーに書き込まれた１フレームの入力画像データを読み出してｎフレームの出力画像データを出力するフレームレート変換部と、前記フレームレート変換部が出力する出力画像データに基づき画像を表示する表示部と、を備え、前記フレームレート変換部は、前記メモリーから１フレームの入力画像データを読み出して１フレームの第１出力画像データを出力する第１処理と、前記メモリーから前記第１処理よりも少ないデータ量の入力画像データを読み出して１フレームの第２出力画像データを出力する第２処理と、を含む処理を実行して、前記第１出力画像データと前記第２出力画像データとを含む前記ｎフレームの出力画像データを出力することを特徴とする。
本発明によれば、メモリーに書き込まれた１フレームの入力画像データを読み出してｎフレームの出力画像データを出力する場合に、出力画像データを、第１処理により読み出された第１出力画像データと、第２処理により読み出された第２出力画像データとを含むｎフレームの出力画像データとすることができる。このため、メモリーから読み出される入力画像データのデータ量を削減し、メモリーからの入力画像データの読み出しにおいて、メモリーの帯域が圧迫されるのを防止することができる。従って、フレームレート変換の処理効率が低下するのを防止し、フレームレート変換された画像データを表示部に表示させる場合に、表示状態を安定させることができる。
【００１３】
本発明の画像処理装置の制御方法は、入力されるフレームの入力画像データをメモリーに書き込み、前記メモリーから１フレームの入力画像データを読み出して１フレームの第１出力画像データを出力する第１処理と、前記メモリーから前記第１処理よりも少ないデータ量の入力画像データを読み出して１フレームの第２出力画像データを出力する第２処理と、を含む処理を実行して、前記メモリーに書き込まれた１フレームの入力画像データに基づき、前記第１出力画像データと前記第２出力画像データとを含むｎフレームの出力画像データを出力することを特徴とする。
本発明によれば、メモリーに書き込まれた１フレームの入力画像データを読み出してｎフレームの出力画像データを出力する場合に、出力画像データを、第１処理により読み出された第１出力画像データと、第２処理により読み出された第２出力画像データとを含むｎフレームの出力画像データとすることができる。このため、メモリーから読み出される入力画像データのデータ量を削減し、メモリーからの入力画像データの読み出しにおいて、メモリーの帯域が圧迫されるのを防止することができる。従って、フレームレート変換の処理効率の低下を防止することができる。
【図面の簡単な説明】
【００１４】
【図１】プロジェクターの構成を示すブロック図。
【図２】フレームレート変換部の構成を示すブロック図。
【図３】画像データの書き込み及び読み出しタイミングを示す図。
【図４】フレームレート変換部の動作を示すフローチャート。
【図５】フレームレート変換部の動作を示すフローチャート。
【図６】フレームレート変換部の他の構成を示すブロック図。
【発明を実施するための形態】
【００１５】
以下、図面を参照して本発明の実施形態について説明する。
図１は、プロジェクター（表示装置）１００の構成を示すブロック図である。
プロジェクター１００は、パーソナルコンピューターや各種映像プレーヤー等の外部の画像供給装置２００に接続され、この画像供給装置２００から供給される画像信号に基づく画像を対象物体に投射する装置である。画像供給装置２００としては、ビデオ再生装置、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター等が挙げられる。また、対象物体は、建物や物体など、一様に平らではない物体であってもよいし、スクリーンＳＣや、建物の壁面等の平らな投射面を有するものであってもよい。本実施形態では平面のスクリーンＳＣに投射する場合を例示する。
【００１６】
プロジェクター１００は、画像供給装置２００に接続するインターフェースとして、画像インターフェース部（以下、インターフェースをＩ／Ｆと略記する）１５１を備える。
画像Ｉ／Ｆ部１５１は、ケーブルを接続するコネクター及びインターフェース回路（いずれも図示略）を備え、ケーブルを介して接続された画像供給装置２００から供給される画像信号を入力する。画像供給装置２００は、入力された画像信号を画像データに変換して画像処理部１５２に出力する。
画像Ｉ／Ｆ部１５１が備えるインターフェースは、例えば、Ｅｔｈｅｒｎｅｔ（登録商標）、ＩＥＥＥ１３９４、ＵＳＢ等のデータ通信用のインターフェースであってもよい。また、画像Ｉ／Ｆ部１５１のインターフェースは、ＭＨＬ（登録商標）、ＨＤＭＩ（登録商標）、ＤｉｓｐｌａｙＰｏｒｔ等の画像データ用のインターフェースであってもよい。
また、画像Ｉ／Ｆ部１５１は、コネクターとして、アナログ映像信号が入力されるＶＧＡ端子や、デジタル映像データが入力されるＤＶＩ（Digital Visual Interface）端子を備える構成であってもよい。さらに、画像Ｉ／Ｆ部１５１は、Ａ／Ｄ変換回路を備え、ＶＧＡ端子を介してアナログ映像信号が入力された場合、Ａ／Ｄ変換回路によりアナログ映像信号を画像データに変換し、画像処理部１５２に出力する。
【００１７】
プロジェクター１００は、大きく分けて光学的な画像の形成を行う表示部１１０と、表示部１１０により表示される画像を電気的に処理する画像処理系とを備える。まず、表示部１１０について説明する。表示部１１０は、光源部１１１、光変調装置１１２及び投射光学系１１３を備える。
【００１８】
光源部１１１は、キセノンランプ、超高圧水銀ランプ、ＬＥＤ（Light Emitting Diode）等からなる光源を備える。また、光源部１１１は、光源が発した光を光変調装置１１２に導くリフレクター及び補助リフレクターを備えることもできる。また、光源部１１１は、投射光の光学特性を高めるためのレンズ群、偏光板、或いは光源が発した光の光量を光変調装置１１２に至る経路上で低減させる調光素子等（いずれも図示略）を備えたものであってもよい。
光源部１１１は、光源駆動部１２１により駆動される。光源駆動部１２１は、内部バス１８０に接続され、内部バス１８０に接続された制御部１７０の制御に従って動作する。光源駆動部１２１は、制御部１７０の制御に従い、光源部１１１の光源を点灯又は消灯させる。
【００１９】
光変調装置１１２は、一対の透明基板間に液晶が封入された液晶パネルを備える。液晶パネルは、複数の画素をマトリクス状に配列した矩形の画素領域を有する。
【００２０】
光変調装置１１２は、光変調装置駆動部１２２により駆動される。光変調装置駆動部１２２は、内部バス１８０に接続され、制御部１７０の制御に従って光変調装置１１２を駆動する。光変調装置駆動部１２２は、液晶パネルの各画素に、画像データに応じた駆動電圧を印加して各画素の光透過率を制御し、画像光を生成する。
【００２１】
投射光学系１１３は、投射する画像の拡大・縮小及び焦点の調整を行うズームレンズや、フォーカスの調整を行うフォーカス調整機構等を備える。投射光学系１１３は、光変調装置１１２で変調された画像光をスクリーンＳＣに投射して結像させる。
【００２２】
プロジェクター１００は、無線通信部１４０を備える。無線通信部１４０は、内部バス１８０に接続される。無線通信部１４０は、図示しないアンテナやＲＦ（Radio Frequency）回路等を備え、制御部１７０の制御の下、外部の装置との間で無線通信を実行する。無線通信部１４０の無線通信方式は、例えば無線ＬＡＮ（Local Area Network）、Bluetooth（登録商標）、ＵＷＢ（Ultra Wide Band）、赤外線通信等の近距離無線通信方式、又は携帯電話回線を利用した無線通信方式を採用できる。
【００２３】
プロジェクター１００の本体には、ユーザーが操作を行うための各種スイッチ及びインジケーターランプを備えた操作パネル１３１が配置される。操作パネル１３１は、処理部１３３に接続される。処理部１３３は、制御部１７０の制御に従い、プロジェクター１００の動作状態や設定状態に応じて操作パネル１３１のインジケーターランプを適宜点灯又は点滅させる。操作パネル１３１のスイッチが操作されると、操作されたスイッチに対応する操作信号が処理部１３３から制御部１７０に出力される。
また、プロジェクター１００は、ユーザーが使用するリモコン５を有する。リモコン５は各種のボタンを備えており、これらのボタンの操作に対応して赤外線信号を送信する。プロジェクター１００の本体には、リモコン５が発する赤外線信号を受光するリモコン受光部１３２が配置される。リモコン受光部１３２は、リモコン５から受光した赤外線信号をデコードして、リモコン５における操作内容を示す操作信号を生成し、制御部１７０に出力する。
【００２４】
プロジェクター１００の画像処理系は、プロジェクター１００を制御する制御部１７０を中心に構成される。画像処理系は、制御部１７０の他に、画像処理装置１５７としての画像処理部１５２及びフレームレート変換部１５５Ａと、フレームメモリー（メモリー）１５３と、記憶部１６０とを備える。
本実施形態では、画像処理装置１５７が、画像処理部１５２及びフレームレート変換部１５５Ａを備えた構成であるとして説明するが、画像処理装置１５７は、画像処理部１５２を備えていなくてもよい。
【００２５】
画像処理部１５２は、制御部１７０の制御に従って、画像Ｉ／Ｆ部１５１から入力される画像データ（以下、画像データＤ１と表記する）の属性を判定する。例えば、画像サイズや解像度の判定、２Ｄ（平面）画像か３Ｄ（立体）画像かの判定、静止画像か動画像かの判定、フレームレートの判定等を行う。画像処理部１５２は、画像データＤ１をフレーム毎にフレームメモリー１５３に書き込み、フレームメモリー１５３に書き込まれた画像データＤ１に対して画像処理を実行する。画像処理部１５２が実行する処理には、例えば、解像度変換処理、デジタルズーム処理、色調補正処理、輝度補正処理、形状補正処理等が含まれる。画像処理部１５２は、制御部１７０により指定された処理を実行し、必要に応じて、制御部１７０から入力されるパラメーターを使用して処理を行う。また、上記の処理のうち複数の処理を組み合わせて実行することも可能である。
画像処理部１５２は、処理後の画像データ（以下、画像データＤ２と表記する）をフレームメモリー１５３から読み出し、フレームレート変換部１５５Ａに出力する。
【００２６】
画像処理装置として動作するフレームレート変換部１５５Ａは、入力されるフレームの画像データＤ２（入力画像データ）をフレームメモリー１５３に書き込む。フレームレート変換部１５５Ａは、フレームメモリー１５３に書き込まれた１フレームの画像データを読み出してｎ（ｎは１よりも大きい任意の自然数）フレームの出力画像データを出力するｎ逓倍処理を実行し、画像データＤ２のフレームレートを変換する。フレームレート変換部１５５Ａが画像データＤ２のフレームレートを高めることで、光変調装置１１２の液晶パネルにおける描画フレーム数を高め、画像の残像感の軽減を図ることができる。
例えば、フレームレート変換部１５５Ａは、６０Ｈｚの画像データＤ２を、光変調装置１１２の液晶パネルの表示周波数である２４０Ｈｚの出力画像データＤ４（後述する）に変換し、出力画像データＤ４を光変調装置駆動部１２２に出力するとする。この場合、フレームレート変換部１５５Ａは、フレームメモリー１５３に書き込まれた１フレームの画像データを読み出し、４（ｎ＝４）フレームの出力画像データを出力する４逓倍処理を実行する。以下の説明では、フレームレート変換により、６０Ｈｚの画像データＤ２を２４０Ｈｚの出力画像データＤ４に変換する場合を例に説明するが、変換される表示周波数は２４０Ｈｚに限定されるものではない。例えば、表示周波数は４８０Ｈｚ（ｎ＝８）であってもよい。
【００２７】
また、フレームレート変換部１５５Ａは、変換後のフレームレートに対応する垂直同期信号（以下、出力垂直同期信号という）を生成し、出力画像データＤ４とともに出力する。
【００２８】
記憶部１６０は、フラッシュメモリー、ＥＥＰＲＯＭ等の不揮発性のメモリーにより構成される。記憶部１６０は、制御部１７０が処理するデータや制御部１７０が実行する制御プログラムを記憶する。
【００２９】
制御部１７０は、図示しないＣＰＵ（Central Processing Unit）、ＲＯＭ（Read Only Memory）、ＲＡＭ（Random Access Memory）等を備えて構成される。制御部１７０は、ＣＰＵによって、ＲＯＭに記憶した基本制御プログラム、及び記憶部１６０に記憶されたアプリケーションプログラムを実行することにより、プロジェクター１００を制御する。
また、制御部１７０は、ＣＰＵが、ＲＡＭをワークメモリーとして使用し、基本制御プログラム及びアプリケーションプログラムを実行することにより実現される機能ブロックとして、投射制御部１７１及び分割比率設定部１７２を備える。
【００３０】
投射制御部１７１は、光源駆動部１２１、光変調装置駆動部１２２、画像処理部１５２及びフレームレート変換部１５５Ａを制御して、画像データに基づく画像をスクリーンＳＣに投射させる。
【００３１】
分割比率設定部１７２は、分割比率を設定し、設定した分割比率を示す比率情報をフレームレート変換部１５５Ａのビット数決定部１５１１（図２参照）に通知する。
分割比率設定部１７２は、画像データＤ２を構成する各画素の画素データを上位ビットデータと下位ビットデータとの２つに分割する場合の分割比率を設定する。例えば、画素データが８ビットのデータで、比率情報が［５：３］である場合、画素データは、５ビットのビットデータと、３ビットのビットデータとに分割される。また、比率情報が［７：１］である場合、画素データは、７ビットのビットデータと、１ビットのビットデータとに分割される。また、画素データは、画像データを構成する画素の画素値を示すビットデータである。
分割比率設定部１７２は、例えば、ユーザーによる操作パネル１３１やリモコン５の操作により入力された動作モードに応じて分割比率を設定してもよい。プロジェクター１００は、動作モードとして、画質優先モードや速度優先モードを有する。画質優先モードとは、速度優先モードを含む他のモードよりも、表示部１１０により表示される画像の画質を優先するモードである。また、速度優先モードとは、画質優先モードを含む他のモードよりも、表示部１１０により表示される画像の遅れ（時間的なずれ）が小さいモードである。例えば、プロジェクター１００の動作モードとして、画質優先モードが設定された場合、分割比率設定部１７２は、上位ビットデータとして分割される画素データのビット数が増加するように分割比率を設定する。また、プロジェクター１００の動作モードとして、速度優先モードが設定された場合、分割比率設定部１７２は、上位ビットデータとして分割される画素データのビット数が、動作モードとして他のモードが設定された場合と比べて小さくなるように分割比率を設定する。
また、分割比率設定部１７２は、画像供給装置２００から供給される画像データのサイズに応じて分割比率を設定してもよい。例えば、分割比率設定部１７２は、画像データのサイズが大きい場合、下位ビットデータとして分割されるビット数が増加するように分割比率を設定する。
また、分割比率設定部１７２は、ＲＯＭに記憶された基本制御プログラム（例えば、オペレーティングシステム）を動作させて処理を行う場合に、下位ビットデータとして分割されるビット数が増加するように分割比率を設定する。オペレーティングシステムを動作させて処理を行う場合として、例えば、フレームメモリー１５３への画像データの書き込み処理や、フレームメモリー１５３からの画像データの読み出し処理を行う場合が挙げられる。また、オペレーティングシステムを動作させて処理を行う場合として、メニュー画像やメッセージ画像等のＯＳＤ（オンスクリーンディスプレイ）画像を、フレームメモリー１５３に書き込まれた画像データに基づく画像上に重畳する処理を行う場合が挙げられる。
【００３２】
図２は、フレームレート変換部１５５Ａの構成を示す図である。理解の便宜のため、図２には制御部１７０を合わせて図示する。
フレームレート変換部１５５Ａは、ビット数決定部１５１１、キャッシュ部１５１２、上位ビット保存部１５１３、下位ビット保存部１５１４、メモリーＩ／Ｆ部１５１５、フレーム番号管理部１５１６、逓倍制御部１５１７及び付加部１５１８を備える。
【００３３】
ビット数決定部１５１１は、レジスター（図示略）を備え、制御部１７０の分割比率設定部１７２により設定された比率情報を保持する。
【００３４】
キャッシュ部１５１２は、画像処理部１５２により処理された画像データＤ２が入力される。キャッシュ部１５１２に入力される画像データＤ２は、少なくとも垂直同期信号（以下、入力垂直同期信号という）を伴う。
キャッシュ部１５１２は、ビット数決定部１５１１に保持された比率情報を参照して、画像データＤ２を構成する各画素の画素データを、上位ビットデータと、下位ビットデータとに分割する。キャッシュ部１５１２は、分割した画素データの上位ビットデータを上位ビット保存部１５１３に保存し、分割した画素データの下位ビットデータを下位ビット保存部１５１４に保存する。
【００３５】
また、キャッシュ部１５１２は、上位ビット保存部１５１３及び下位ビット保存部１５１４からビットデータ（上位ビットデータ及び下位ビットデータ）を読み出し、メモリーＩ／Ｆ部１５１５に出力する。
例えば、キャッシュ部１５１２は、分割した画素データ（今回の画素データという）の上位ビットデータを、上位ビット保存部１５１３に保存している間に、先に分割し、下位ビット保存部１５１４に保存された１つ前の画素データ（前回の画素データという）の下位ビットデータを読み出し、メモリーＩ／Ｆ部１５１５に出力する。また、キャッシュ部１５１２は、前回の画素データの下位ビットデータの下位ビット保存部１５１４からの読み出しが完了すると、分割した今回の画素データの下位ビットデータを下位ビット保存部１５１４に保存する。この間、キャッシュ部１５１２は、上位ビット保存部１５１３に保存した今回の画素データの上位ビットデータを読み出してメモリーＩ／Ｆ部１５１５に出力する。
キャッシュ部１５１２からメモリーＩ／Ｆ部１５１５に出力される画像データを、以下では、画像データＤ３と表記する。キャッシュ部１５１２は、上記の処理を繰り返し行って、画像データＤ３を構成する各画素の画素データをメモリーＩ／Ｆ部１５１５に出力し、フレームの画像データＤ３をメモリーＩ／Ｆ部１５１５に出力する。
また、キャッシュ部１５１２は、画像データＤ３に、入力垂直同期信号を付加して、メモリーＩ／Ｆ部１５１５に出力する。
【００３６】
メモリーＩ／Ｆ部１５１５は、フレームメモリー１５３とのインターフェースとして動作する。メモリーＩ／Ｆ部１５１５は、キャッシュ部１５１２から順次入力されるフレームの画像データＤ３を、入力垂直同期信号に同期して、フレームの最上部のラインから１ラインずつフレームメモリー１５３に書き込む。
メモリーＩ／Ｆ部１５１５は、キャッシュ部１５１２から画像データＤ３として入力される画素データの上位ビットデータと下位ビットデータとを、フレームメモリー１５３の異なる領域に書き込む。フレームメモリー１５３には、画素データの上位ビットデータが書き込まれる領域と、画素データの下位ビットデータが書き込まれる領域とが形成される。
画素データの上位ビットデータと下位ビットデータとをフレームメモリー１５３の異なる領域に書き込むことで、フレームメモリー１５３から画素データの上位ビットデータだけを容易に読み出すことができる。また、フレームメモリー１５３から画素データの下位ビットデータだけを容易に読み出すことができる。
また、画素データを上位ビットデータと下位ビットデータとに分離し、フレームメモリー１５３の異なる領域に記憶させることで、上位ビットデータと下位ビットデータとに異なる処理を行うことができる。例えば、上位ビットデータと下位ビットデータとの少なくとも一方を圧縮してフレームメモリー１５３に書き込む場合に、圧縮及び解凍の有無を、上位ビットデータと下位ビットデータとでそれぞれ独立に設定することができる。
【００３７】
また、メモリーＩ／Ｆ部１５１５は、フレームレート変換を行う場合に、逓倍制御部１５１７の制御に従って、フレームメモリー１５３に書き込まれたフレームの画像データＤ３を複数回読み出し、付加部１５１８に出力する。
例えば、６０Ｈｚの画像データＤ３を、２４０Ｈｚに変換する場合、メモリーＩ／Ｆ部１５１５は、逓倍制御部１５１７の制御に従い、フレームメモリー１５３から画像データＤ３を４回読み出す。また、メモリーＩ／Ｆ部１５１５は、変換後のフレームレートに対応する出力垂直同期信号を生成し、画像データＤ３とともに付加部１５１８に出力する。
【００３８】
また、メモリーＩ／Ｆ部１５１５は、フレームメモリー１５３からフレームの画像データＤ３を複数回読み出す場合に、第１読出処理（第１処理）又は第２読出処理（第２処理）により画像データＤ３を読み出す。
第１読出処理は、フレームメモリー１５３が記憶する画像データＤ３の全体を読み出す処理である。第１読出処理では、メモリーＩ／Ｆ部１５１５は、フレームメモリー１５３から、画像データＤ３を構成する各画素データの上位ビットデータ及び下位ビットデータ（第１出力画像データ）を読み出し、読み出した上位ビットデータ及び下位ビットデータを画素データとして付加部１５１８に出力する。
また、第２読出処理では、フレームメモリー１５３が記憶する画像データＤ３の一部を読み出す処理である。第２読出処理によりフレームメモリー１５３から読み出される画像データＤ３のデータ量は、第１読出処理によりフレームメモリー１５３から読み出される画像データＤ３のデータ量よりも少ない。第２読出処理では、メモリーＩ／Ｆ部１５１５は、フレームメモリー１５３から、画像データＤ３を構成する各画素データの上位ビットデータ（第２出力画像データ）を読み出し、読み出したビットデータを画素データとして付加部１５１８に出力する。すなわち、第２読出処理では、画素データの下位ビットデータ（下位側の所定ビット数のデータ）を除いて、１フレームの画像データＤ３が読み出される。
【００３９】
光変調装置１１２の液晶パネルには、素子反応時間があるため、光変調装置駆動部１２２により液晶パネルに印加される電圧に完全に追従した輝度で画像を表現することはできない。本実施形態は、この点に着目し、フレームメモリー１５３から画像データＤ３のフレームを複数回読み出す場合に、複数回読み出されるフレームのうちの少なくとも１回のフレームにおいて、第２読出処理を実行する。第２読出処理では、画像データを構成する画素データの上位ビットデータが読み出されるので、フレームメモリー１５３から読み出されるデータ量を削減することができる。
【００４０】
フレーム番号管理部１５１６は、フレームレート変換部１５５Ａから１フレームの出力画像データＤ４が出力されるごとにカウントアップされるカウンターを備える。
フレーム番号管理部１５１６は、例えば、入力垂直同期信号を入力して、カウントアップを開始し、フレームレート変換部１５５Ａから１フレームの出力画像データＤ４が出力されるごとにカウンターの値をカウントアップする。また、フレーム番号管理部１５１６は、次の入力垂直同期信号が入力されると、カウンターの値をリセットする。フレーム番号管理部１５１６は、カウンターの値をフレーム情報として逓倍制御部１５１７に出力する。
また、フレーム番号管理部１５１６は、メモリーＩ／Ｆ部１５１５から出力される出力垂直同期信号を入力して、出力フレーム数を管理してもよい。
【００４１】
逓倍制御部１５１７は、フレーム番号管理部１５１６から入力されるフレーム情報により、メモリーＩ／Ｆ部１５１５に第１読出処理又は第２読出処理を実行させる。
例えば、フレームメモリー１５３から画像データＤ３を４回読み出す４逓倍処理において、第１読出処理と第２読出処理とを交互に２回ずつ行うとする。この場合、逓倍制御部１５１７は、フレーム情報に示されるカウンターの値が０又は２である場合、メモリーＩ／Ｆ部１５１５に第１読出処理を実行させる。また、逓倍制御部１５１７は、フレーム情報に示されるカウンターの値が１又は３である場合、メモリーＩ／Ｆ部１５１５に第２読出処理を実行させる。
【００４２】
付加部１５１８には、メモリーＩ／Ｆ部１５１５が第１読出処理及び第２読出処理により読み出した画像データＤ３が入力される。付加部１５１８は、メモリーＩ／Ｆ部１５１５が第１読出処理を実行してフレームメモリー１５３から読み出した画像データＤ３をそのまま出力画像データＤ４として光変調装置駆動部１２２に出力する。
また、付加部１５１８は、メモリーＩ／Ｆ部１５１５が第２読出処理を実行してフレームメモリー１５３から読み出した画像データＤ３にデータを付加し、出力画像データＤ４として光変調装置駆動部１２２に出力する。第２読出処理によりフレームメモリー１５３から読み出される画像データＤ３の画素データは、上位ビットデータを有し、下位ビットデータは有しない。このため、付加部１５１８は、入力された画素データの上位ビットデータに、ダミーデータを付加する。
【００４３】
付加部１５１８が付加するダミーデータのビット数は、下位ビットデータのビット数に相当するデータである。付加部１５１８は、画素データにダミーデータを付加し、出力画像データＤ４として光変調装置駆動部１２２に出力する。ダミーデータとして付加されるビットデータは、例えば、「０」を示すビットデータであってもよいし、「１」を示すビットデータであってもよい。また、付加部１５１８は、フレームごとに、付加するダミーデータを変更してもよい。例えば、第２読出処理により最初に読み出されるフレームでは、ダミーデータとして、「０」を示すビットデータを付加し、次の第２読出処理により読み出されるフレームでは、ダミーデータとして、「１」を示すビットデータを付加してもよい。また、付加部１５１８は、ディザ処理によりダミーデータを生成し、生成したダミーデータを画素データの下位ビットデータとして付加してもよい。
【００４４】
図３は、フレームレート変換部１５５Ａへの画像データの入力タイミング及び出力タイミングを示す図である。
図３において、上から順に、画像データＤ２の入力垂直同期信号により規定されるタイミング、フレームメモリー１５３に書き込まれる画像データＤ２のフレーム、出力垂直同期信号により規定されるタイミング、フレームメモリー１５３から読み出される画像データＤ３のフレーム、フレームレート変換部１５５Ａから出力される出力画像データＤ４のフレームを示す。
【００４５】
フレームレート変換部１５５Ａに入力される画像データＤ２のフレームレートを、例えば、６０Ｈｚとし、フレームレート変換部１５５Ａが出力する出力画像データＤ４のフレームレートを、例えば、２４０Ｈｚとする。
【００４６】
メモリーＩ／Ｆ部１５１５は、時刻ｔ０で、入力垂直同期信号に従って、画像データＤ２の最初のフレーム（図３に示すＦ０）を、フレームメモリー１５３に書き込む書き込み処理を開始する。１フレームの書き込みに要する時間をＷ１と表記する。
【００４７】
メモリーＩ／Ｆ部１５１５は、時刻ｔ１で、画像データＤ３の次のフレーム（図３に示すＦ１）の書き込み処理、及びフレームＦ０のフレームメモリー１５３からの読み出し処理を開始する。変換後のフレームレートに従い、メモリーＩ／Ｆ部１５１５がフレームＦ０の読み出しに要する時間Ｗ２は、時間Ｗ１の１／４である。
また、メモリーＩ／Ｆ部１５１５は、フレームメモリー１５３からフレームＦ０の全部又は一部を読み出す読出処理を４回行う。４回の読出処理において、メモリーＩ／Ｆ部１５１５は、逓倍制御部１５１７の制御に従い、フレームＦ０の全部を読み出す第１読出処理と、フレームＦ０の一部を読み出す第２読出処理とを切り替える。
図３には、メモリーＩ／Ｆ部１５１５が、逓倍制御部１５１７の制御に従い、第１読出処理と第２読出処理とを交互に行って、フレームＦ０の全部が読み出されたフレームと、フレームＦ０の一部が読み出されたフレームとを交互に出力する様子を示す。図３に「フル」と表記したフレーム（Ｆ０＿０、Ｆ０＿２）が、フレームＦ０の全部（上位及び下位ビットデータ）が読み出されたフレームを示す。また、図３に「上位」と表記したフレーム（Ｆ０＿１、Ｆ０＿３）が、画素データの上位ビットデータが読み出されたフレームを示す。
【００４８】
フレームメモリー１５３から読み出されたフレームＦ０の画像データＤ３は、付加部１５１８において、フレームＦ０＿１、Ｆ０＿３のフレームにダミーデータが付加され、出力画像データＤ４として光変調装置駆動部１２２に出力される。付加部１５１８によりダミーデータが付加されたフレームＦ０＿１、Ｆ０＿３のフレームを、図３では「Ｆ０’」と表記する。
【００４９】
図４は、フレームレート変換部１５５Ａの動作を示すフローチャートである。図４に示すフローチャートには、画像データをフレームメモリー１５３に書き込むまでのフレームレート変換部１５５Ａの動作を示す。
画像処理部１５２は、画像供給装置２００から供給され、画像Ｉ／Ｆ部１５１から入力される画像データＤ１をフレームメモリー１５３に書き込み、書き込んだ画像データＤ１に対して画像処理を行う。画像処理部１５２は、画像処理後の画像データを、画像データＤ２としてフレームレート変換部１５５Ａに出力する。画像データＤ２は、少なくとも入力垂直同期信号を伴う。フレームレート変換部１５５Ａは、画像処理部１５２から画像データＤ２の入力がない場合（ステップＳ１／ＮＯ）、画像データＤ２が入力されるまで待機する。
【００５０】
画像処理部１５２から出力された画像データＤ２は、フレームレート変換部１５５Ａのキャッシュ部１５１２に入力される。フレームレート変換部１５５Ａは、画像データＤ２が入力されると（ステップＳ１／ＹＥＳ）、キャッシュ部１５１２により画像データＤ２を画素データごとに、上位ビットデータと下位ビットデータとに分割する（ステップＳ２）。キャッシュ部１５１２は、分割した画素データの上位ビットデータを上位ビット保存部１５１３に保存し、画素データの下位ビットデータを下位ビット保存部１５１４に保存する。
【００５１】
キャッシュ部１５１２は、保存した画素データの上位ビットデータ及び下位ビットデータを、上位ビット保存部１５１３及び下位ビット保存部１５１４からそれぞれに読み出し、画像データＤ３としてメモリーＩ／Ｆ部１５１５に出力する。メモリーＩ／Ｆ部１５１５に入力される画像データＤ３には、少なくとも入力垂直同期信号を伴う。メモリーＩ／Ｆ部１５１５は、入力垂直同期信号に同期して、画像データＤ３をフレームメモリー１５３に書き込む（ステップＳ３）。
【００５２】
次に、フレームレート変換部１５５Ａは、１フレームの画像データＤ３がフレームメモリー１５３に書き込まれたか否かを判定する（ステップＳ４）。否定判定の場合（ステップＳ４／ＮＯ）、フレームレート変換部１５５Ａは、メモリーＩ／Ｆ部１５１５により、キャッシュ部１５１２から入力される画像データＤ３をフレームメモリー１５３に書き込む（ステップＳ３）。
また、肯定判定の場合（ステップＳ４／ＹＥＳ）、フレームレート変換部１５５Ａは、フレームレート変換部１５５Ａへの画像データの入力が終了したか否かを判定する（ステップＳ５）。否定判定の場合（ステップＳ５／ＮＯ）、フレームレート変換部１５５Ａは、キャッシュ部１５１２及びメモリーＩ／Ｆ部１５１５により、ステップＳ２及びＳ３の処理を繰り返し行う。また、肯定判定の場合（ステップＳ５／ＹＥＳ）、フレームレート変換部１５５Ａは、この処理フローを終了させる。
【００５３】
図５は、フレームレート変換部１５５Ａの動作を示すフローチャートである。図５に示すフローチャートは、フレームメモリー１５３に書き込まれた画像データをｎ逓倍処理により読み出すフレームレート変換部１５５Ａの動作を示す。
フレームレート変換部１５５Ａは、メモリーＩ／Ｆ部１５１５が１フレームの画像データＤ３をフレームメモリー１５３に書き込んだか否かを判定する（ステップＳ１１）。否定判定の場合（ステップＳ１１／ＮＯ）、フレームレート変換部１５５Ａは、１フレームの画像データＤ３がフレームメモリー１５３に書き込まれるまで待機する。
【００５４】
また、肯定判定の場合（ステップＳ１１／ＹＥＳ）、フレームレート変換部１５５Ａは、メモリーＩ／Ｆ部１５１５により、変換後のフレームレートに対応する出力同期信号を生成する。メモリーＩ／Ｆ部１５１５は、生成した出力同期信号に同期してフレームメモリー１５３から画像データＤ３を読み出す（ステップＳ１２）。
メモリーＩ／Ｆ部１５１５は、逓倍制御部１５１７の制御に従って、第１読出処理又は第２読出処理により画像データＤ３を読み出す。第１読出処理による画像データＤ３の読み出しでは、１フレームの画像データＤ３の全体がフレームメモリー１５３から読み出される。また、第２読出処理による画像データＤ３の読み出しでは、１フレームの画像データＤ３の一部が読み出される。すなわち、画像データＤ３を構成する画素データの上位ビットデータが読み出され、画素データの下位ビットデータは読み出されない。
【００５５】
フレームレート変換部１５５Ａは、第１読出処理により１フレームの画像データＤ３の全体を読み出した場合には、付加部１５１８によりダミーデータを付加することなく、出力画像データＤ４として光変調装置駆動部１２２に出力する。また、フレームレート変換部１５５Ａは、第２読出処理により１フレームの画像データＤ３の一部を読み出した場合、付加部１５１８により、画素データにダミーデータを付加した（ステップＳ１３）画像データを、出力画像データＤ４として光変調装置駆動部１２２に出力する。付加部１５１８により付加されるダミーデータのビット数は、フレームメモリー１５３から読み出されなかった下位ビットデータのビット数と等しい。このため、ダミーデータを付加した画素データのビット数は、第１読出処理により読み出される画像データＤ３の画素データのビット数と同数となる。従って、光変調装置駆動部１２２が、フレームレート変換部１５５Ａの出力である出力画像データＤ４に基づいて光変調装置１１２の液晶パネルを駆動する場合に、出力画像データＤ４の一部のフレームで液晶パネルが駆動できないといった不具合の発生を防止することができる。
【００５６】
次に、フレームレート変換部１５５Ａは、画像データＤ３のフレームをｎ逓倍回読み出したか否かを判定する（ステップＳ１４）。このフローでは、ｎは４であるとする。否定判定の場合（ステップＳ１４／ＮＯ）、フレームレート変換部１５５Ａは、ステップＳ１２に戻り、出力同期信号に同期して画像データＤ３を読み出す。また、肯定判定の場合（ステップＳ１４／ＹＥＳ）、フレームレート変換部１５５Ａは、フレームレート変換部１５５Ａへの画像データの入力が終了したか否かを判定する（ステップＳ１５）。否定判定の場合（ステップＳ１５／ＮＯ）、フレームレート変換部１５５Ａは、メモリーＩ／Ｆ部１５１５及び付加部１５１８により、ステップＳ１２及びＳ１３の処理を繰り返し行う。また、肯定判定の場合（ステップＳ１５／ＹＥＳ）、フレームレート変換部１５５Ａは、この処理フローを終了させる。
【００５７】
［変形例１］
上述した実施形態では、キャッシュ部１５１２は、画素データを上位ビットデータと下位ビットデータとに分割し、分割した上位ビットデータ及び下位ビットデータをそのままフレームメモリー１５３に書き込んだ。しかし、フレームメモリー１５３から読み出されるデータ量を削減するという観点から、キャッシュ部１５１２が、上位ビットデータ及び下位ビットデータの少なくとも一方を圧縮し、メモリーＩ／Ｆ部１５１５がフレームメモリー１５３に圧縮した画素データを書き込んでもよい。
【００５８】
図６は、フレームレート変換部１５５Ａの他の構成（フレームレート変換部１５５Ｂと表記する）を示すブロック図である。
変形例のフレームレート変換部１５５Ｂは、付加部１５１８に代えて付加・解凍部１５１９を備える。
【００５９】
変形例１では、キャッシュ部１５１２は、画素データの上位ビットデータは圧縮せずに、下位ビットデータを圧縮し、メモリーＩ／Ｆ部１５１５によりフレームメモリー１５３に書き込む。
メモリーＩ／Ｆ部１５１５は、第１読出処理により画像データを読み出す場合に、上位ビットデータと、圧縮された下位ビットデータとを読み出す。すなわち、上位ビットデータは、非圧縮の状態でメモリーＩ／Ｆ部１５１５から読み出される。付加・解凍部１５１９は、第１読出処理により読み出された画素データの下位ビットデータを解凍処理し、解凍した下位ビットデータと上位ビットデータとを合成して画素データを生成する。付加・解凍部１５１９は、生成した画素データを光変調装置駆動部１２２に出力する。
また、メモリーＩ／Ｆ部１５１５は、第２読出処理により画像データを読み出す場合には、画素データとして上位ビットデータを読み出し、圧縮された下位ビットデータの読み出しは行わない。この場合、付加・解凍部１５１９は、第２読出処理により読み出された上位ビットデータにダミーデータを付加して画素データとし、光変調装置駆動部１２２に出力する。
【００６０】
［変形例２］
変形例２の構成は、変形例１と同一であるため、変形例２の構成の図示は省略する。
変形例２では、キャッシュ部１５１２は、画素データの上位ビットデータ及び下位ビットデータのそれぞれを可逆圧縮により圧縮したデータセットと、画素データの上位ビットデータを可逆圧縮により圧縮し、画素データの下位ビットデータを非可逆圧縮により圧縮したデータセットとを生成する。
メモリーＩ／Ｆ部１５１５は、キャッシュ部１５１２により生成されたこれらのデータセットをフレームメモリー１５３に書き込む。
【００６１】
メモリーＩ／Ｆ部１５１５は、第１読出処理により画像データを読み出す場合に、可逆圧縮された上位ビットデータ及び下位ビットデータのデータセットを読み出し、付加・解凍部１５１９に出力する。付加・解凍部１５１９は、入力された上位ビットデータ及び下位ビットデータのデータセットを解凍して、画素データに復元する。付加・解凍部１５１９は、復元した画素データを光変調装置駆動部１２２に出力する。
また、メモリーＩ／Ｆ部１５１５は、第２読出処理により画像データを読み出す場合に、可逆圧縮された上位ビットデータと、非可逆圧縮された下位ビットデータとのデータセットのうち、可逆圧縮された上位ビットデータを読み出す。メモリーＩ／Ｆ部１５１５は、読み出した可逆圧縮された上位ビットデータを付加・解凍部１５１９に出力する。
付加・解凍部１５１９は、入力された上位ビットデータを解凍し、さらに解凍した上位ビットデータにダミーデータを付加して、画素データを生成する。付加・解凍部１５１９は、生成した画素データを光変調装置駆動部１２２に出力する。
【００６２】
また、上述した実施形態では、第１読出処理では、画素データの上位ビットデータ及び下位ビットデータをフレームメモリー１５３から読み出し、第２読出処理では、画素データの上位ビットデータを読み出した。フレームメモリー１５３からの画素データの他の読み出し方法として、第１及び第２読出処理において、画素データの上位ビットデータをフレームメモリー１５３から読み出し、下位ビットデータはフレームメモリー１５３から読み出さないようにしてもよい。例えば、表示部１１０により表示される画像の画質を低下させても、表示される画像が途中で途切れないようにしたい場合には、この場合に有効な読出処理となる。この場合、付加部１５１８は、第１及び第２読出処理により読み出される画素データの上位ビットデータにダミーデータを付加して、画素データとする。
また、第１及び第２読出処理において、画素データの上位ビットデータをフレームメモリー１５３から読み出し、下位ビットデータはフレームメモリー１５３から読み出さないようにする場合、画素データの上位ビットデータを可逆圧縮により圧縮してフレームメモリー１５３に書き込み、画素データの下位ビットデータを、非可逆圧縮により圧縮してフレームメモリー１５３に書き込んでもよい。
【００６３】
以上説明したように画像処理装置及び画像処理装置の制御方法の実施形態としての画像処理装置１５７は、フレームレート変換部１５５Ａ（１５５Ｂ）を備える。
フレームレート変換部１５５Ａ（１５５Ｂ）は、入力されるフレームの入力画像データをフレームメモリー１５３に書き込み、フレームメモリー１５３に書き込まれた１フレームの入力画像データを読み出してｎフレームの出力画像データを出力する。
また、フレームレート変換部１５５Ａ（１５５Ｂ）は、第１読出処理及び第２読出処理を実行する。第１読出処理では、フレームレート変換部１５５Ａ（１５５Ｂ）は、フレームメモリー１５３から１フレームの入力画像データを読み出して１フレームの第１出力画像データを出力する。また、第２読出処理では、フレームレート変換部１５５Ａ（１５５Ｂ）は、フレームメモリー１５３から第１読出処理よりも少ないデータ量の入力画像データを読み出して１フレームの第２出力画像データを出力する。これにより、フレームレート変換部１５５Ａ（１５５Ｂ）は、第１出力画像データと第２出力画像データとを含むｎフレームの出力画像データを出力する。
従って、フレームメモリー１５３から読み出される入力画像データのデータ量を削減し、フレームメモリー１５３からの入力画像データの読み出しにおいて、フレームメモリー１５３の帯域が圧迫されるのを防止することができる。このため、フレームレート変換の処理効率の低下を防止することができる。
【００６４】
また、フレームメモリー１５３は、複数の画素データで構成されるフレームの入力画像データを記憶する。フレームレート変換部１５５Ａ（１５５Ｂ）は、第２読出処理において、フレームメモリー１５３から読み出す画素データのデータ量を、第１読出処理に比べて少ないデータ量にする。
従って、第２読出処理において、フレームメモリー１５３から読み出される画素データのデータ量が削減される。このため、画像データを構成する画素の画素データ単位にデータ量を削減することができる。
【００６５】
また、フレームレート変換部１５５Ａ（１５５Ｂ）は、第２読出処理において、フレームメモリー１５３が記憶する画素データの下位ビットデータを除いて入力画像データを読み出し、第２出力画像データとして出力する。このため、画素データの劣化を最小限とし、画質の低下を抑制することができる。
【００６６】
また、フレームレート変換部１５５Ａ（１５５Ｂ）は、第１読出処理において、フレームメモリー１５３が記憶する画素データの全体を読み出す。従って、第１読出処理により出力される第１出力画像データの劣化を防止することができる。
【００６７】
また、フレームレート変換部１５５Ａ（１５５Ｂ）は、第２読出処理によりフレームメモリー１５３から読み出した画素データに対し、下位ビットデータのビット数に相当するデータを付加する。従って、第２読出処理により読み出される画素データのデータ量を、第１読出処理により読み出される画素データのデータ量に一致させることができる。
【００６８】
また、フレームレート変換部１５５Ａ（１５５Ｂ）は、第１読出処理において、下位側の所定ビット数のデータが圧縮された状態でフレームメモリー１５３に記憶された画素データをフレームメモリー１５３から読み出す。従って、フレームメモリー１５３から読み出される画素データのデータ量を削減することができる。
【００６９】
また、フレームレート変換部１５５Ａ（１５５Ｂ）は、第２処理において、圧縮された状態の下位側の所定ビット数のデータを除く、非圧縮の状態の上位側のデータを画素データとしてフレームメモリー１５３から読み出す。従って、フレームメモリー１５３から読み出されるデータ量を削減することができる。
【００７０】
上述した実施形態は本発明を適用した具体的態様の例に過ぎず、本発明を限定するものではなく、上記実施形態とは異なる態様として本発明を適用することも可能である。
例えば、上述した図４及び図５に示すフローチャートでは、フレームメモリー１５３から画像データＤ３を４回読み出す４逓倍のフレームレート変換処理において、第１読出処理と第２読出処理とを交互に２回ずつ行う場合を示した。しかし、第２読出処理は、フレームメモリー１５３から画像データＤ３を４回読み出す場合に、少なくとも１回行えば、フレームメモリー１５３から読み出される画像データＤ３のデータ量を削減することができる。この第２読出処理の実行回数を、制御部１７０により制御可能な構成としてもよい。
【００７１】
また、フレームレート変換部１５５Ａ（１５５Ｂ）は、フレームメモリー１５３に書き込まれた１フレームの画像データを読み出してｎフレームの画像データを出力するが、この出力する画像データのフレーム数ｎを制御部１７０の制御により変更可能な構成としてもよい。
【００７２】
また、上記実施形態では、光源が発した光を変調する光変調装置１１２として、ＲＧＢの各色に対応した３枚の透過型又は反射型の液晶パネルを用いた構成を例に挙げて説明したが、本発明はこれに限定されるものではない。例えば、１枚の液晶パネルとカラーホイールを組み合わせた方式を用いてもよい。或いは、３枚のデジタルミラーデバイス（ＤＭＤ）を用いた方式、１枚のデジタルミラーデバイスとカラーホイールを組み合わせたＤＭＤ方式等により構成してもよい。光変調装置として１枚のみの液晶パネル又はＤＭＤを用いる場合には、クロスダイクロイックプリズム等の合成光学系に相当する部材は不要である。また、液晶パネルおよびＤＭＤ以外にも、光源が発した光を変調可能な光変調装置であれば問題なく採用できる。
【００７３】
また、上記実施形態では、スクリーンＳＣの前方から投射するフロントプロジェクション型のプロジェクター１００を表示装置の一例として示したが、本発明はこれに限定されない。例えば、スクリーンＳＣの背面側から投射するリアプロジェクション（背面投射）型のプロジェクターを表示装置として採用できる。また、液晶ディスプレイ、有機ＥＬ（Electro Luminescence）ディスプレイ、プラズマディスプレイ、ＣＲＴ（陰極線管）ディスプレイ、ＳＥＤ（Surface-conduction Electron-emitter Display）等の表示装置であっても良い。
また、上記実施形態では、画像を表示するプロジェクター１００が備える画像処理部１５２と、フレームレート変換部１５５Ａ（１５５Ｂ）とが画像処理装置１５７として動作する構成を例に挙げて説明したが、本発明はこれに限定されない。プロジェクター１００を含む表示装置とは別体で構成された画像処理装置が、画像処理装置１５７に対応する動作を実行してもよい。
【００７４】
また、図１及び図２に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター１００の他の各部の具体的な細部構成についても、本発明の趣旨を逸脱しない範囲で任意に変更可能である。
【００７５】
また、上述した実施形態では、画素データを上位データと下位データとに分割したが、画素データを分割する分割数は２分割に限定されない。例えば、キャッシュ部１５１２は、画素データを上位データ、中位データ及び下位データの３つに分割し、分割した各データをフレームメモリー１５３に書き込んでもよい。
メモリーＩ／Ｆ部１５１５は、第１読出処理により、上位データ及び中位データをフレームメモリー１５３から読み出す。付加部１５１８は、メモリーＩ／Ｆ部１５１５が読み出した上位データ及び中位データに第１ダミーデータを付加し、出力画像データＤ４として光変調装置駆動部１２２に出力する。付加部１５１８が付加する第１ダミーデータのビット数は、下位データのビット数に等しい。
また、メモリーＩ／Ｆ部１５１５は、第２読出処理により、上位データをフレームメモリー１５３から読み出す。すなわち、第２読出処理によりフレームメモリー１５３から読み出される画素データのビット数は、第１読出処理によりフレームメモリー１５３から読み出される画素データのビット数よりも少ない。付加部１５１８は、メモリーＩ／Ｆ部１５１５が読み出した上位データに、第２ダミーデータを付加し、出力画像データＤ４として光変調装置駆動部１２２に出力する。付加部１５１８が付加する第２ダミーデータのビット数は、中位データのビット数と下位データのビット数とを合算したビット数に等しい。
【符号の説明】
【００７６】
５…リモコン、１００…プロジェクター（表示装置）、１１０…表示部、１１１…光源部、１１２…光変調装置、１１３…投射光学系、１２１…光源駆動部、１２２…光変調装置駆動部、１３１…操作パネル、１３２…リモコン受光部、１３３…処理部、１４０…無線通信部、１５１…画像Ｉ／Ｆ部、１５２…画像処理部、１５３…フレームメモリー（メモリー）、１５５Ａ、１５５Ｂ…フレームレート変換部、１５７…画像処理装置、１６０…記憶部、１７０…制御部、１７１…投射制御部、１７２…分割比率設定部、１８０…内部バス、２００…画像供給装置、１５１１…ビット数決定部、１５１２…キャッシュ部、１５１３…上位ビット保存部、１５１４…下位ビット保存部、１５１５…メモリーＩ／Ｆ部、１５１６…フレーム番号管理部、１５１７…逓倍制御部、１５１８…付加部、１５１９…付加・解凍部、ＳＣ…スクリーン。
【図１】
2017102313.tif 000003
【図２】
2017102313.tif 000004
【図３】
2017102313.tif 000005
【図４】
2017102313.tif 000006
【図５】
2017102313.tif 000007
【図６】
2017102313.tif 000008